(57)【要約】【課題】マリンスポーツをする際に装着するソックスや靴が足から離脱するのを防止し、且つ滑りとめ機能があり、ソックスや靴に装着できる独立したグリップバンドの開発を課題とする。【解決手段】  着用者が足を挿入する離脱防止部（２）を設け、前記離脱防止部（２）と一体的に縫着された離脱防止ベルト（３）を前記離脱防止部（２）の上から締緩することにより足にしっかりフィットさせる構造とした。さらに、足底面にグリップ底部（５）を配設して滑り止めの機能を併せ持たせた。【選択図】図７
0003124445.tif 000002
【実用新案登録請求の範囲】
【請求項１】
足底の土踏まず部と踵部あたりに当接するグリップ底部（５）に接続して、上方に挿入口（２０）、前に前方口（２１）、後ろに後方口（２２）を設けて足首の周囲である踵上部及び足の甲及び踝周囲を一体的に被覆する離脱防止部（２）を設け、さらに前記離脱防止部（２）を外から巻き締める離脱防止ベルト（３）とを設けたことを特徴とするグリップバンド。
【請求項２】
前記グリップ底部（５）は、その左右に前記離脱防止部（２）の底辺を縫着してあり、前記グリップ底部（５）の裏面は粗面に形成されていることを特徴とする請求項１に記載のグリップバンド。
【請求項３】
前記離脱防止ベルト（３）は、前記グリップ底部（５）の底面外側辺に縫着されていて、略Ｙ字状で、２本のベルト部分には雄面ファスナー（３１）（３２）を設け、根元部分には雌面ファスナー（３０）を設け、前記離脱防止ベルト（３）を内踝側の緊締支持部（６）に通して、それを支点にして折り返して締め付け雄面ファスナー（３１）（３２）を雌面ファスナー（３０）に止めて調整することを特徴とする請求項１〜請求項２いずれかに記載のグリップバンド。
【請求項４】
前記離脱防止部（２）は伸縮性生地からなり、足首部を入れる挿入孔（２０）は拡縮することを特徴とする請求項１〜請求項３のいずれかに記載のグリップバンド。
【考案の詳細な説明】
【技術分野】
【０００１】
本考案は、サーフィン等のマリンスポーツをする際に装着するソックスや靴が足から離脱するのを防止するためにソックスや靴に装着するグリップに関する。
【背景技術】
【０００２】
サーフィン等のマリンスポーツをする際には、スポーツ用ソックス乃至は靴等を装着するのが一般的である。
例えばサーフボードの表面は滑りやすいため、それを防ぐためにスポーツソックスを用いることもある。
しかし、激しい動きや強い波に打たれた際にスポーツソックスや靴が足からずれ落ちてしまう場合もある。
【０００３】
そのような不測の脱落に備えて、従来のマリンスポーツ用の靴又はソックスには、例えば実用新案登録第３０８５６６３号「マリン靴」がある。
この実用新案登録第３０８５６６３号「マリン靴」は、本件出願人及び考案者の開発に係るものである。
この考案は、グリップバンドが付設された靴である。
【特許文献１】実用新案登録第３０８５６６３号
【考案の開示】
【考案が解決しようとする課題】
【０００４】
解決しようとする問題点は、マリンスポーツをする際に用いるスポーツソックスや靴が激しい動きで足からずれ落ちてしまう点である。
又、前記考案は靴にグリップが付設されているが、どの靴にも適用できるグリップバンドの要請もある。
【課題を解決するための手段】
【０００５】
本考案のグリップバンドは、足底の土踏まず部と踵部あたりに当接するグリップ底部と、足首の周囲である踵上部及び足の甲及び踝周囲を一体的に被覆する離脱防止部及び、前記離脱防止部を外から巻き締める離脱防止ベルトとからなる。
前記離脱防止部は前記グリップ底部の左右底辺において接着されていて、足首を入れる拡縮自在な挿入口があることが特徴である。
さらに、前記グリップ底部の外側辺には雄面ファスナーと雌面ファスナーからなる離脱防止ベルトが縫着されている。
前記離脱防止ベルトは、略Ｙ字状で、２本のベルトは足の内側辺まで延設していて、足の内側辺に縫着された内踝側の緊締支持具に通して折り返して固定する。
また前記緊締支持具は、離脱防止部と一体に縫着されたクッション部の外側に配設されている。
【０００６】
前記グリップ底部の底面には、滑り止めとして、サーフボード等の表面をグリップするための滑り止め溝又は粗面が形成されている。
サーフィンやサーフボード用の靴に装着するので、底面の溝又は粗面模様は、靴と同様な模様である。溝模様や粗面は滑らない形態がデザインされる。
【考案の効果】
【０００７】
本考案のグリップバンドの主要部位である離脱防止部は着用者がソックス又は靴又は素足を挿入して用いるから、足首から踝、更に踵までをしっかり包む構造になっている。
離脱防止部は、伸縮性素材で作成されているので、装着後はしっかり包み込み、足首まで入っているので、このグリップバンド自体が外れて脱落することはない。
しかも、前記離脱防止部と一体に縫着された離脱防止ベルトはＹ字状に延設された雄面ファスナーと雌面ファスナーを内側踝付近に設けられた緊締支持具に通して屈折して各面ファスナーによりしっかりと固着させる。
上記の通り本考案は、二重の離脱防止構造を採用している。
以上の構造により、例えばマリンスポーツ特有の激しい動きをするときに履く靴に装着して使用すると、スポーツソックスや靴が、足からずれ落ちるのを防止することができる。
【０００８】
ソックス又は靴の上から装着すれば、靴が脱げないように靴と足を縛り、かつ靴底と一体的になって、滑らない靴底を形成する。
靴を履いていない素足に装着すれば、足首回りのガードになり、また、前記グリップ底部の底面には滑り止め溝や粗面を形成していて、コーテイングされたサーフボード等の表面を確実にグリップするので滑らないし、使用者は様々な動きに対応できる。
【０００９】
前記緊締支持具は正三角リングで、雄面ファスナーと雌面ファスナーから成る離脱防止ベルトを屈折する支点の機能があり、折り返した雄面ファスナーを雌面ファスナーに接着させ、使用者の足の大きさや形状に調整し、引張力を均等に３分割する構造とした。
そのため、離脱防止ベルトは、均等に足首を締めてしっかり足に固定される。
なお、各面ファスナーをきつく締めると、緊締支持具が踝に接触して圧迫を感じることがあるのを防ぐため、又そのような擦れや違和感をなくすためにクッション部を内側踝のやや下方に当接するように配設している。
【００１０】
本考案に係るグリップバンドは、靴とは分離できるように独立しているため、脱げ安い靴など靴を替えて、他の靴にも装着して使用できる。
近年、マリンスポーツの多様化と競技人口の増加にともない、様々な補助具の需要も高まりつつある。
そのスポーツの特徴や目的に適合した補助具の開発及び利便性の向上が求められるのは必至といえる。
本考案のグリップバンドは、面ファスナーと離脱防止部により靴やソックスが足から離脱するのを防止する機能のみならず、グリップ底部による滑り止め防止機能を兼ね備えている技術的特徴があり、靴を替えても装着できるので汎用性もあるという効果がある。
【考案を実施するための最良の形態】
【００１１】
本考案のグリップバンド（１）は、図１〜図８に示されるように、着用者が足を挿入して踝周囲を一体的に被覆する伸縮性生地で作成された離脱防止部とその離脱防止部と一体的に縫着された離脱防止ベルトからなり、ベルトを締緩することにより足の大きさにフィットさせ、着脱できる構造とした。
【実施例】
【００１２】
この考案のグリップバンド（１）について、添付した図面に示す実施の形態に基づいて説明する。
図１及び図２は本考案のグリップバンド（１）の側面図である。
また、図３は本考案の離脱防止部（２）の斜視図である。
【００１３】
実施例のグリップバンドは、足底の土踏まず部と踵部あたりに当接するグリップ底部（５）に接続して、上方に素足や靴の足首部を入れる挿入口（２０）、前に足の爪先から差し込む前方口（２１）、後ろに踵を出す後方口（２２）を設けて足首の周囲である踵上部及び足の甲及び踝周囲を一体的に被覆する離脱防止部（２）を設け、さらに前記離脱防止部（２）を外から巻き締める離脱防止ベルト（３）とからなる。
グリップ底部（５）は、ゴム素材、離脱防止部（２）は伸縮自在素材、離脱防止ベルト（３）は不伸縮素材である。
前記グリップ底部（５）は、その左右に前記離脱防止部（２）の底辺を縫着してあり、前記グリップ底部（５）の裏面は粗面に形成されている。
【００１４】
又、前記離脱防止ベルト（３）は、前記グリップ底部（５）の底面外側辺に縫着されていて、略Ｙ字状で、２本のベルト部分には雄面ファスナー（３１）（３２）を設け、根元部分には雌面ファスナー（３０）を設け、前記離脱防止ベルト（３）を内踝側の緊締支持部（６）に通して、それを支点にして折り返して締め付け雄面ファスナー（３１）（３２）を雌面ファスナー（３０）に止めて調整する。
緊締支持部（６）は硬質合成樹脂製の正三角形リングで、引張力を３分割して横方向と下方向へ均等に分散している。
【００１５】
このような構成のグリップバンドを装着するには、着用者はまず離脱防止部（２）の挿入口（２０）を拡げて靴又は足を入れて足首部を差し込み、踵を後方口（２２）から、足の甲全体を前方口（２１）からそれぞれ出して装着する。
次に、雄面ファスナー（３１）（３２）を緊締支持具（６）に通し、前記緊締支持具（６）を支点にして折り返して締め付け調整する。
図１で示す通り雌面ファスナー（３０）は、離脱防止部（６）を全体的に覆う構造になっていて面が広域であるから、着用者の足のサイズに合わせて極めて柔軟に調整できる。
【００１６】
図４は本考案のグリップバンド（１）を展開した状態を底面側から見た平面図である。
図５は本考案のグリップバンド（１）を展開した状態を上面側から見た平面図である。
また、図６及び図７は本考案のグリップ（１）を靴に装着した状態を示す側面図である。
【００１７】
グリップ底部（５）に、離脱防止部（６）を縫着し、クッション（４）を縫着し、緊締支持具（６）を取付け、反対側に離脱防止ベルト（３）を縫着している。
離脱防止ベルト（３）の各々の面ファスナー（３０）（３１）（３２）は足の内側からＹ字状に延びている。
【００１８】
図６と図７で示す通り、緊締支持具（６）は足の外側に位置していて、それを支点に雄面ファスナー（３１）（３２）を折り返して、雌面ファスナー（３０）に接着させ、調整する構造になっている。
接着調整面である雌面ファスナー（３０）を足の外側に配設したことにより、マリンスポーツ時の激しい動きによる足の衝突、接触で雄面ファスナー（３１）（３２）が雌面ファスナー（３０）から剥がれたり、ずれたりするのを防止することができる。
【００１９】
さらにクッション（４）を設けることにより、装着時や運動中に感じる硬い緊締支持具（６）の違和感を和らげることができる。
【００２０】
図８は本考案のグリップバンド（１）を装着した状態を足の底面側から見た平面図である。
本図の実施例ではグリップ底部（５）に滑り止めを目的とした粗面を形成している。前記グリップ底部（５）は装着者の足踏まずに当接するので、足裏全体の面積が増加して、グリップ力が強くなる。
【００２１】
前記の実施形態は、あくまで一例であり、全体のデザイン変更や素材の変更は、当然予想できることであり、緊締支持部の形状や、支持支点の数を限定するものでもない。
【産業上の利用可能性】
【００２２】
本考案は、面ファスナーと離脱防止部により靴やソックスが足から離脱するのを防止する機能のみならず、グリップ底部による滑り止め防止機能、靴を替えても装着できるという利点がある。
サーフィン等の靴への装着、釣りの際の滑り止め装着、船上や海浜で作業する際等、スポーツや水際の作業時に利用できる。
【図面の簡単な説明】
【００２３】
【図１】本考案にかかるグリップバンドの一実施例を示す全体の側面図である。
【図２】本考案にかかるグリップバンドの一実施例を示す全体の側面図である。
【図３】本考案にかかるグリップバンドの離脱防止部の一実施例を示す斜視図である。
【図４】本考案にかかるグリップバンドの展開した状態を底面側から見た平面図である。
【図５】本考案にかかるグリップバンドの展開した状態を上面から見た平面図である。
【図６】本考案にかかるグリップバンドを靴に装着した状態を示す側面図である。
【図７】本考案にかかるグリップバンドを靴に装着した状態を示す側面図である。
【図８】本考案にかかるグリップバンドを装着した状態を示す足の底面側の平面図である。
【符号の説明】
【００２４】
１    グリップバンド
２    離脱防止部
２０  挿入口
２１  前方口
２２  後方口
３    離脱防止ベルト
３１  雄面ファスナー
３２  雌面ファスナー
４    クッション
５    グリップ底部
【図１】
0003124445.tif 000003
【図２】
0003124445.tif 000004
【図３】
0003124445.tif 000005
【図４】
0003124445.tif 000006
【図５】
0003124445.tif 000007
【図６】
0003124445.tif 000008
【図７】
0003124445.tif 000009
【図８】
0003124445.tif 000010